(57)【要約】【課題】回転して係止する方式により回流子を定位でき、組付け作業が容易となり、加工が容易となるボールねじ用回流子定位構造を提供する。【解決手段】軸線を有するねじ軸２０と、軸線の方向に沿ってねじ軸に嵌め設けられ、軸線を巡るように設けられる環状壁面３１と、環状壁面のエッジと連接する環状端面３２と、環状壁面に複数設けられ、環状端面と挟み用窪み３３を形成する突出部３４と、環状端面から軸線の方向に沿って設けられる収容空間３５と、を備えるナット３０と、軸線の方向に沿って収容空間に設けられ、突出部に向いている受け面を有する回流子４０と、リング外周面５１と、リング外周面のエッジと連接する押付環状面５２と、リング外周面に複数設けられる翼部５３と、翼部の一端面に設けられ、押付環状面と同じ平面に位置する第１端面と、翼部の他端面に設けられ、突出部に押付けられる第２端面と、を備える定位リング５０と、を含む。【選択図】図２
0003174744.tif 000002
【実用新案登録請求の範囲】
【請求項１】
軸線を有するねじ軸と、
前記軸線の方向に沿って前記ねじ軸に嵌め設けられ、前記軸線を巡るように設けられる環状壁面と、前記環状壁面のエッジと連接する環状端面と、前記環状壁面に複数設けられ、前記環状端面と挟み用窪みを形成する突出部と、前記環状端面から前記軸線の方向に沿って設けられる収容空間と、を備えるナットと、
前記軸線の方向に沿って前記収容空間に設けられ、前記突出部に向いている受け面を有する回流子と、
リング外周面と、前記リング外周面のエッジと連接し、前記ナットの前記環状端面と前記回流子の前記受け面とに押付ける押付環状面と、前記リング外周面に複数設けられ、前記ナットの前記挟み用窪みに係止される翼部と、前記翼部の一端面に設けられ、前記押付環状面と同じ平面に位置し、前記ナットの前記環状端面と前記回流子の前記受け面とに押付ける第１端面と、前記翼部の他端面に設けられ、前記突出部に押付けられる第２端面と、を備える定位リングと、
を含むことを特徴とするボールねじ用回流子定位構造。
【請求項２】
軸線を有するねじ軸と、
前記軸線の方向に沿って前記ねじ軸に嵌め設けられ、前記軸線を巡るように設けられる環状壁面と、前記環状壁面のエッジと連接する環状端面と、前記環状壁面に複数設けられ、前記環状端面と挟み用窪みを形成する突出部と、前記環状端面から前記軸線の方向に沿って設けられる収容空間と、を備えるナットと、
前記軸線の方向に沿って前記収容空間に設けられ、前記突出部に向いている受け面を有する回流子と、
リング外周面と、前記リング外周面のエッジと連接する押付環状面と、前記リング外周面に複数設けられ、前記ナットの前記挟み用窪みに係止される翼部と、前記翼部の一端面に設けられ、前記回流子の前記受け面に押付ける第１端面と、前記翼部の他端面に設けられ、前記突出部に押付けられる第２端面と、を備える定位リングと、
を含むことを特徴とするボールねじ用回流子定位構造。
【請求項３】
軸線を有するねじ軸と、
前記軸線の方向に沿って前記ねじ軸に嵌め設けられ、前記軸線を巡るように設けられる環状壁面と、前記環状壁面のエッジと連接する環状端面と、前記環状壁面に複数設けられ、前記環状端面と挟み用窪みを形成する突出部と、前記環状端面から前記軸線の方向に沿って設けられる収容空間と、を備えるナットと、
前記軸線の方向に沿って前記収容空間に設けられ、前記突出部に向いている受け面を有する回流子と、
リング外周面と、前記リング外周面のエッジと連接し、前記回流子の前記受け面に押付ける押付環状面と、前記リング外周面に複数設けられ、前記ナットの前記挟み用窪みに係止される翼部と、前記翼部の一端面に設けられる第１端面と、前記翼部の他端面に設けられ、前記突出部に押付けられる第２端面と、を備える定位リングと、
を含むことを特徴とするボールねじ用回流子定位構造。
【請求項４】
前記定位リングの前記各翼部は、第１端と、第２端と、を有し、前記翼部の前記第２端面は、前記第１端から前記第２端へ傾斜することを特徴とする、請求項１から３の何れか１項に記載のボールねじ用回流子定位構造。
【請求項５】
前記ナットの前記二つの突出部の間には、前記定位リングの前記翼部の通過を可能にする回避空間が設けられることを特徴とする、請求項１から３の何れか１項に記載のボールねじ用回流子定位構造。
【考案の詳細な説明】
【技術分野】
【０００１】
本考案は、ボールねじに関し、特に、ボールねじ用回流子定位構造に関するものである。
【背景技術】
【０００２】
ボールねじは、ねじ軸にナットを嵌め設けて、ねじ軸とナットの間に複数の玉を入れて構成されるものである。ねじ軸とナットの間に各玉を循環に転がり可能にし、各玉の回流による衝撃力を除去するために、ナットの端面には、軸方向に沿う回流子が設けられる。一般の回流子のナットに定位する方式には、図１に示した特許文献１と、特許文献２号と、がある。
【０００３】
特許文献１に開示された方式は、ナット１２に回流子１１を設けて、ナット１２の溝１２１にＣリング１３を入れ、これにより、Ｃリング１３は、軸方向への変位が規制され、回流子１１に押付けて回流子１１を定位する。しかし、回流子１１は、Ｃリング１３の押付面１３１に押付けられる受け面１１１が不足であるため、ナット１２の内部に緩めやすく、そして各玉の回流による衝撃力を有効に除去できない。回流子１１の両端にある耳部１３２2が大きすぎるため、組付け作業が容易ではない。
【０００４】
特許文献２に開示された方式は、回流子に定位片が枢着され、ナットに前記回流子を設けた後、前記定位片を回転することにより、前記ナットの溝に前記定位片を係止し、このように、前記回流子が定位される。しかし、前記ナット内にある溝は環状を呈しないため、加工が容易ではない。
【先行技術文献】
【特許文献】
【０００５】
【特許文献１】米国特許第５６６４４５９号公報
【特許文献２】米国特許第７５９１２０５号公報
【考案の概要】
【考案が解決しようとする課題】
【０００６】
本考案の主な目的は、回転して係止する方式により回流子を定位でき、組付け作業が容易となり、加工が容易となるボールねじ用回流子定位構造を提供することにある。
【課題を解決するための手段】
【０００７】
本考案のボールねじ用回流子定位構造によると、軸線を有するねじ軸と、軸線の方向に沿ってねじ軸に嵌め設けられ、軸線を巡るように設けられる環状壁面と、環状壁面のエッジと連接する環状端面と、環状壁面に複数設けられ、環状端面と挟み用窪みを形成する突出部と、環状端面から軸線の方向に沿って設けられる収容空間と、を備えるナットと、軸線の方向に沿って収容空間に設けられ、突出部に向いている受け面を有する回流子と、リング外周面と、リング外周面のエッジと連接し、ナットの環状端面と回流子の受け面とに押付ける押付環状面と、リング外周面に複数設けられ、ナットの挟み用窪みに係止される翼部と、翼部の一端面に設けられ、押付環状面と同じ平面に位置し、ナットの環状端面と回流子の受け面とに押付ける第１端面と、翼部の他端面に設けられ、突出部に押付けられる第２端面と、を備える定位リングと、を含むことを特徴とする。
【０００８】
本考案のボールねじ用回流子定位構造によると、軸線を有するねじ軸と、軸線の方向に沿ってねじ軸に嵌め設けられ、軸線を巡るように設けられる環状壁面と、環状壁面のエッジと連接する環状端面と、環状壁面に複数設けられ、環状端面と挟み用窪みを形成する突出部と、環状端面から軸線の方向に沿って設けられる収容空間と、を備えるナットと、軸線の方向に沿って収容空間に設けられ、突出部に向いている受け面を有する回流子と、リング外周面と、リング外周面のエッジと連接する押付環状面と、リング外周面に複数設けられ、ナットの挟み用窪みに係止される翼部と、翼部の一端面に設けられ、回流子の受け面に押付ける第１端面と、翼部の他端面に設けられ、突出部に押付けられる第２端面と、を備える定位リングと、を含むことを特徴とする。
【０００９】
本考案のボールねじ用回流子定位構造によると、軸線を有するねじ軸と、軸線の方向に沿ってねじ軸に嵌め設けられ、軸線を巡るように設けられる環状壁面と、環状壁面のエッジと連接する環状端面と、環状壁面に複数設けられ、環状端面と挟み用窪みを形成する突出部と、環状端面から軸線の方向に沿って設けられる収容空間と、を備えるナットと、軸線の方向に沿って収容空間に設けられ、突出部に向いている受け面を有する回流子と、リング外周面と、リング外周面のエッジと連接し、回流子の受け面に押付ける押付環状面と、リング外周面に複数設けられ、ナットの挟み用窪みに係止される翼部と、翼部の一端面に設けられる第1端面と、翼部の他端面に設けられ、突出部に押付けられる第2端面と、を備える定位リングと、を含むことを特徴とする。
【００１０】
本考案のボールねじ用回流子定位構造によると、定位リングの各翼部は、第１端と、第２端と、を有し、翼部の第２端面は、第１端から第２端へ傾斜することを特徴とする。
【００１１】
本考案のボールねじ用回流子定位構造によると、ナットの二つの突出部の間には、定位リングの翼部の通過を可能にする回避空間が設けられることを特徴とする。
【考案の効果】
【００１２】
本考案のボールねじ用回流子定位構造によれば、回転して係止する方式により回流子を定位でき、組付け作業が容易となり、加工が容易となるという効果を有する。
【図面の簡単な説明】
【００１３】
【図１】特許文献１のうちの一つの図面である。
【図２】本考案の実施例１を示す分解斜視図である。
【図３】本考案の実施例１の組合済み状態を示す斜視図である。
【図４】図３の断面図であって、ナットに定位リングが係合されている状態を示す。
【図５】図３における５-５線の断面図である。
【図６】本考案の実施例１を示す斜視図であって、定位リングを示す。
【図７】本考案の実施例１を示す分解斜視図である。
【図８】図７の断面図である。
【図９】本考案の実施例１を示す斜視図であって、定位リングがナットに設けられるが、係止されて回転不能となる。
【図１０】図９の断面図である。
【図１１Ａ】本考案の実施例１を示す側面図であって、定位リングのリング内周面とリング外周面とが円形を呈して同心である状態を示す。
【図１１Ｂ】本考案の実施例１を示す側面図であって、定位リングのリング内周面とリング外周面とが円形を呈して同心ではない状態を示す。
【図１２】本考案の実施例１を示す斜視図であって、防塵エンドプレートがナットから分離している状態を示す。
【図１３】本考案の実施例２を示す分解斜視図である。
【図１４】本考案の実施例２の組合済み状態を示す斜視図であって、回流子と定位リングが互いに押付けている状態を示す。
【図１５】本考案の実施例３を示す分解斜視図である。
【図１６】本考案の実施例３の組合済み状態を示す斜視図であって、回流子と定位リングが互いに押付けている状態を示す。
【図１７】本考案の実施例３の別の実施形態を示す側面図であって、定位リングの第１端面が押付環状面よりも回流子の受け面から遠く離れる状態を示す。
【考案を実施するための形態】
【００１４】
以下、本考案の実施の形態を図面に基づいて説明する。
【実施例１】
【００１５】
まず、図２乃至図６を参照する。本実施例のボールねじ用回流子定位構造は、ねじ軸２０と、ナット３０と、回流子４０と、定位リング５０と、から構成される。
【００１６】
ねじ軸２０は軸線を有する。
【００１７】
ナット３０は、軸線２１の方向に沿ってねじ軸２０に嵌め設けられる。ナット３０とねじ軸２０の間には、玉６１が複数設けられる。ナット３０は、軸線２１を巡るように設けられる環状壁面３１と、環状壁面３１のエッジと連接する環状端面３２と、環状壁面３１に複数設けられ、環状端面３２と挟み用窪み３３を形成する突出部３４と、環状端面３２から軸線２１の方向に沿って設けられる収容空間３５と、を備える。本実施例では、ナット３０の突出部３４、３４の間に回避空間３６が設けられる。
【００１８】
回流子４０は、軸線２１の方向に沿って収容空間３５に設けられ、突出部３４に向いている受け面４１を有する。
【００１９】
定位リング５０は、リング外周面５１と、リング外周面５１のエッジと連接し、ナット３０の環状端面３２と回流子４０の受け面４１とに押付ける押付環状面５２と、リング外周面５１に複数設けられ、ナット３０の挟み用窪み３３に係止される翼部５３と、翼部５３の一端面に設けられ、押付環状面５２と同じ平面に位置し、ナット３０の環状端面３２と回流子４０の受け面４１とに押付ける第１端面５３１と、翼部５３の他端面に設けられ、突出部３４に押付けられる第２端面５３２と、を備える。本実施例では、各翼部５３がナット３０の突出部３４、３４の間にある回避空間３６を通過できる。各翼部５３は、第１端５３３と、第２端５３４と、を有する。翼部５３の第２端面５３２は、第１端５３３から第２端５３４へ傾斜する斜面である。
【００２０】
次に、本考案の組付方法を説明する。
図７及び図８を参照する。まず、回流子４０の受け面４１がナット３０の環状端面３２と同じ平面に位置するように、回流子４０を軸線２１の方向に沿ってナット３０の収容空間３５に設ける。次に、ナット３０の回避空間３６に定位リング５０の翼部５３、５３を対応する。
【００２１】
図９及び図１０を参照する。定位リング５０が回流子４０に向くように、定位リング５０をナット３０内に設ける。これにより、定位リング５０の翼部５３、５３は、ナット３０の回避空間３６を通過して、ナット３０の突出部３４と環状端面３２の間に位置する。
【００２２】
図３乃至図５を参照する。定位リング５０をある角度に回転して、ナット３０の挟み用窪み３３に定位リング５０の翼部５３、５３を係止する。そうすると、翼部５３が突出部３４と環状端面３２に挟まれて、定位リング５０が定位される。このとき、定位リング５０の押付環状面５２と第１端面５３１は、ナット３０の環状端面３２と回流子４０の受け面４１を同時に押付けることにより、回流子４０が十分に定位される。このように、回流子４０がナット３０の内部に緩めることにより、各玉の回流による衝撃力を有効に除去できない問題を解決できる。
【００２３】
本実施例の構成によれば、回流子４０は、定位リング５０を回転して係止する方式により、定位されることができるため、組付け作業が容易となる。本実施例の構成を小寸法のボールねじに適用すると、組付け作業の便利性が極めて著しい。一方、定位リング５０の翼部５３、５３を係止する挟み用窪み３３は、各突出部３４と環状端面３２から構成され、突出部３４がナット３０の環状壁面３１に設けられるため、加工が容易となる。
【００２４】
図１１Ａを参照する。定位リング５０Ａは、更に、リング外周面５１Ａに対応するリング内周面５４Ａを有する。リング内周面５４Ａがリング外周面５１Ａと同心することにより、螺旋がナットの両端まで延びないボールねじに適用できる。
【００２５】
図１１Ｂを参照する。定位リング５０Ｂは、更に、リング外周面５１Ｂに対応するリング内周面５４Ｂを有する。リング内周面５４Ｂがリング外周面５１Ｂと同心しないことにより、螺旋がナットの両端まで延びるボールねじに適用できる。
【００２６】
図１２を参照する。本考案の設計原理は、ボールねじの防塵エンドプレート７０に適用できる。すなわち、防塵エンドプレート70は、回転方式によりナット３０に定位される防塵リング71(本考案の定位リングの構造と同じ)と、防塵リング７１のリング内周面に固定される羊毛フェルト７２と、から構成される。
【実施例２】
【００２７】
図１３及び図１４を参照する。本実施例のボールねじ用回流子定位構造は、ねじ軸２０と、ナット３０と、回流子４０Ｃと、定位リング５０Ｃと、から構成され、その構成及び効果が実施例１と同じであるため、説明を省略した。なお、実施例２の実施例１と相違する点は下記にある。
【００２８】
回流子４０Ｃは、ねじ軸２０の軸線２１の方向に沿って、ナット３０の収容空間３５に設けられ、且つナット３０の突出部３４に向いている受け面４１Ｃを有するが、回流子４０Ｃの受け面４１Ｃを押える定位リング５０Ｃは、定位リング５０Ｃの第１端面５３１Ｃだけを介して、回流子４０Ｃの受け面４１Ｃを押えるといい。
【実施例３】
【００２９】
図１５及び図１６を参照する。本実施例のボールねじ用回流子定位構造は、ねじ軸２０と、ナット３０と、回流子４０Ｄと、定位リング５０Ｄと、から構成され、その構成及び効果が実施例１と同じであるため、説明を省略した。なお、実施例３の実施例１と相違する点は下記にある。
【００３０】
回流子４０Ｄは、ねじ軸２０の軸線２１の方向に沿って、ナット３０の収容空間３５に設けられ、且つナット３０の突出部３４に向いている受け面４１Ｄを有するが、回流子４０Ｄの受け面４１Ｄを押える定位リング５０Ｄは、定位リング５０Ｄの押付環状面５２Ｄだけを介して、回流子４０Ｄの受け面４１Ｄを押えるといい。
【００３１】
図１７を参照する。定位リング５０Ｄの第１端面５３１Ｄは、押付環状面５２Ｄよりも回流子４０Ｄの受け面４１Ｄから遠く離れる。
【産業上の利用可能性】
【００３２】
本考案は、ボールねじに適用することができる。
【符号の説明】
【００３３】
１１：回流子
１２：ナット
１３：Ｃリング
２０：ねじ軸
２１：軸線
３０：ナット
３１：環状壁面
３２：環状端面
３３：挟み用窪み
３４：突出部
３５：収容空間
３６：回避空間
４０，４０Ｃ，４０Ｄ：:回流子
４１，４１Ｃ，４１Ｄ：受け面
５０，５０Ａ，５０Ｂ，５０Ｃ，５０Ｄ：定位リング
５１，５１Ａ，５１Ｂ：リング外周面
５２，５２Ｄ：押付環状面
５３：翼部
５４Ａ，５４Ｂ：リング内周面
６１：玉
７０：防塵エンドプレート
７１：防塵リング
７２：羊毛フェルト
１１１：受け面
１２１：溝
１３１：押付面
１３２：耳部
５３１，５３１Ｃ，５３１Ｄ：第1端面
５３２：第２端面
５３３：第１端
５３４：第２端
【図１】
0003174744.tif 000003
【図２】
0003174744.tif 000004
【図３】
0003174744.tif 000005
【図４】
0003174744.tif 000006
【図５】
0003174744.tif 000007
【図６】
0003174744.tif 000008
【図７】
0003174744.tif 000009
【図８】
0003174744.tif 000010
【図９】
0003174744.tif 000011
【図１０】
0003174744.tif 000012
【図１１Ａ】
0003174744.tif 000013
【図１１Ｂ】
0003174744.tif 000014
【図１２】
0003174744.tif 000015
【図１３】
0003174744.tif 000016
【図１４】
0003174744.tif 000017
【図１５】
0003174744.tif 000018
【図１６】
0003174744.tif 000019
【図１７】
0003174744.tif 000020